(57)【要約】  【課題】  扉下降開放式の消火栓装置において、組立作業を容易に行うことができる様にし、又メンテナンス作業を容易に行うことができる様にし、又筐体の奥行き寸法を小さくすることができる様にする。  【解決手段】  筐体２の前面開口部２０を下降することで開口させる下降扉１９を備えた消火栓装置１において、該筐体２と該下降扉１９との間に、該下降扉１９の下降により伸長して、該下降扉１９の下降に対して抵抗を与えるダンパ２５を設ける。  【選択図】  図２
2006181057.tif 000002
【特許請求の範囲】
【請求項１】
筐体の前面開口部を下降することで開口させる下降扉を備えた消火栓装置において、
該筐体と該下降扉との間に、該下降扉の下降により伸長して、該下降扉の下降に対して抵抗を与えるダンパを設けたことを特徴とする消火栓装置。
【請求項２】
該ダンパは、シリンダと、該シリンダ内部を縮側シリンダ室と伸側シリンダ室に区画するピストンと、該ピストンに接続され、該シリンダから外部に延出されたピストンロッドと、該ピストンに形成され、該縮側シリンダ室と該伸側シリンダ室とを連通させる連通路とを有するものとし、
更に該ダンパは、該シリンダの内部がオイルにより満たされているものとすることを特徴とする請求項１記載の消火栓装置。
【請求項３】
該ダンパは、該下降扉が所定の位置まで下降してから該下降扉の下降に対して抵抗を与えるものとすることを特徴とする請求項１記載の消火栓装置。
【請求項４】
該ダンパは、シリンダと、該シリンダ内部を縮側シリンダ室と伸側シリンダ室に区画するピストンと、該ピストンに接続され、該シリンダから外部に延出されたピストンロッドと、該ピストンに形成され、該縮側シリンダ室と該伸側シリンダ室とを連通させる連通路とを有するものとし、
更に該ダンパは、該シリンダの内部がオイルとガスにより満たされており、該シリンダの内部にオイル層とガス層が形成されるものとすることを特徴とする請求項３記載の消火栓装置。
【請求項５】
該ダンパは、該ピストンに形成され、該縮側シリンダ室から該伸側シリンダ室への流通は許容し、該伸側シリンダ室から該縮側シリンダ室への流通は阻止する逆止流通路を有するものとすることを特徴とする請求項２又は４記載の消火栓装置。
【請求項６】
該筐体は、該下降扉によって開口される該前面開口部を有し、該筐体に着脱自在に取り付けられる前面パネルを有するものとし、
該ダンパは、該前面パネルと該下降扉との間に設けられるものとし、
該前面パネルを、該下降扉と、該下降扉によって開口される該前面開口部と、該ダンパとを含み、該筐体に着脱自在に取り付けられる扉ユニットを構成するものとすることを特徴とする請求項１乃至５の何れかに記載の消火栓装置。
【発明の詳細な説明】
【技術分野】
【０００１】
この発明は、消火栓装置に関し、更に述べれば、消火用ホース等が格納される筐体の前面を下降することにより開口させる下降扉を備えた消火栓装置に関する。
【背景技術】
【０００２】
消火栓装置における筐体の前面を開口させる扉の開放方式には種々のものがあるが、従来より知られている方式として、扉が下降することにより筐体の前面を開口させる扉下降開放式のものがある。
【０００３】
特開平８−５７０７５号公報（特許文献１）には、その図８及び９に、消火栓箱５２の高さ内で上下して、ホース５１の引き出し及び消火栓弁５４の操作のためのホース引出口５５を閉鎖又は開放可能にする扉５３を備えた消火栓装置が開示されており、当該消火栓装置において扉５３は下降することによりホース引出口５５を開口させる構成となっている。即ち、特許文献１には扉下降開放式の消火栓装置が開示されている。
【特許文献１】特開平８−５７０７５号公報
【０００４】
上記の如き扉下降開放式の消火栓装置によれば、扉開放時でも、扉が消火栓装置筐体の前方に突出することがないので、例えば監査路の狭いトンネルに設置したとしても、扉の開放が走行車両の邪魔になることはない。
【０００５】
又、上記の如き扉下降開放式の消火栓装置によれば、扉を開放させるのに、扉がその自重により落下する力を利用することができるので、その操作を迅速且つ容易に行うことができる。
【０００６】
ところで、上記の如き扉下降開放式の消火栓装置においては、その筐体が扉を開放位置で停止させるストッパ機能を有しており、この筐体の損傷を防止する目的で、扉の落下速度を制御するために、従来より一般に、末端にウェイトを吊るしたワイヤの其端を滑車を介して下降扉に係止し、そのウェイトが下降扉の落下動作に対してカウンターウェイトとなる機構、即ち下降扉にカウンターウェイト機構が設けられている。
【発明の開示】
【発明が解決しようとする課題】
【０００７】
従来の扉下降開放式の消火栓装置においては、下降扉にカウンターウェイト機構が設けられているために、当該機構の部品点数が多く、組立作業が困難である、又、当該機構に可動部分が多いことから、メンテナンスすべき対象が多く、メンテナンス作業が困難である、又、当該機構における滑車とウェイトを消火栓装置の奥行き方向に前後させた配置とする必要があることから、当該機構が消火栓装置の奥行き方向に厚みの大きなものとなってしまい、結果消火栓装置筐体の奥行き寸法を大きなものとしてしまう、等の問題点が存する。
【０００８】
上記事情に鑑み、この発明は、扉下降開放式の消火栓装置において、組立作業を容易に行うことができる様にし、又メンテナンス作業を容易に行うことができる様にし、又筐体の奥行き寸法を小さくすることができる様にすることを目的とする。
【課題を解決するための手段】
【０００９】
上記目的を達成するこの発明について述べれば、それは、筐体の前面開口部を下降することで開口させる下降扉を備えた消火栓装置において、該筐体と該下降扉との間に、該下降扉の下降により伸長して、該下降扉の下降に対して抵抗を与えるダンパを設けたことを特徴とする消火栓装置、である。
【００１０】
前記消火栓装置において、該ダンパは、該下降扉の下降の初期から該下降扉の下降に対して抵抗を与えるものとすることができる。
【００１１】
前記消火栓装置において、該ダンパは、該下降扉が所定の位置まで下降してから該下降扉の下降に対して抵抗を与えるものとすることができる。
【００１２】
前記消火栓装置において、該ダンパは、該下降扉の上昇により縮長し、該下降扉の上昇に対しては抵抗を与えないものとすることができる。
【００１３】
前記消火栓装置において、該ダンパは、シリンダと、該シリンダ内部を縮側シリンダ室と伸側シリンダ室に区画するピストンと、該ピストンに接続され、該シリンダから外部に延出されたピストンロッドと、該ピストンに形成され、該縮側シリンダ室と該伸側シリンダ室とを連通させる連通路とを有するものとし、シリンダ其端側の取付部を該筐体の前面パネル背面に取り付け、ピストンロッド延出端側の取付部を該下降扉背面に取り付けるものとすることができ、ここで、該ダンパは、該シリンダ内部がオイルにより満たされているものとすることができ、又、該ダンパを、該シリンダ内部がオイルとガスとにより満たされているものとし、該シリンダ内部にオイル層とガス層が形成されるものとすることができ、又、該ピストンロッド延出端側の取付部を該下降扉に該ピストンロッドの伸縮方向に沿って摺動自在に取り付けるものとすることができ、又、該ダンパは、該ピストンに形成され、該縮側シリンダ室から伸側シリンダ室への流通は許容し、該伸側シリンダ室から該縮側シリンダ室への流通は阻止する逆止流通路、例えば逆止弁を有する流通路を有するものとすることができる。
【００１４】
前記消火栓装置において、該筐体は、該下降扉によって開口される該前面開口部を有し、該筐体に着脱自在に取り付けられる前面パネルを有するものとし、該ダンパは該前面パネルと該下降扉との間に設けられるものとし、該前面パネルを、該下降扉と、該下降扉によって開口される該前面開口部と、該ダンパとを含み、該筐体に着脱自在に取り付けられる扉ユニットを構成するものとすることができる。
【００１５】
前記消火栓装置において、該筐体は、消火用ホースが内巻きに巻回されて収容されるものとすることができる。
【発明の効果】
【００１６】
この発明によれば、該筐体と該下降扉との間に、該下降扉の下降により伸長して、該下降扉の下降に対して抵抗を与える該ダンパを設けることで、下降扉の落下速度の制御機構を有しつつも、上記従来例に比すれば、組立作業が容易な消火栓装置を得ることができ、又、メンテナンス作業が容易な消火栓装置を得ることができ、又、筐体の奥行き寸法を小さくすることができる消火栓装置を得ることができる。
【００１７】
又、この発明によれば、該ダンパを該下降扉の下降の初期から該下降扉の下降に対して抵抗を与えるものとすることで、該下降扉の下降初期からその落下速度を制御することができ、筐体の損傷を防止することができる。具体的には、例えば、該ダンパをそのシリンダ内部がオイルにより満たされているものとすることで、該ダンパにより該下降扉の下降初期からその落下速度を制御することができる。
【００１８】
又、この発明によれば、該ダンパを該下降扉が所定の位置まで下降してから該下降扉の下降に対して抵抗を与えるものとすることで、該下降扉を所定位置までは早く下降させ、所定位置からは速度を制御しつつ下降させることができ、筐体の損傷を防止しつつ、迅速に前面開口部を開口させて、消火作業を行うことができる。具体的には、例えば、該ダンパを、そのシリンダ内部がオイルとガスにより満たされているものとして、そのシリンダ内部にオイル層とガス層が形成されるものとし、そのピストンがガス層を通過する際には該下降扉の下降に対してほとんど抵抗を与えずに、そのピストンがオイル層を通過する際には該下降扉の下降に対して抵抗を与えるものとすることで、該下降扉を所定位置までは減衰力を作用させずに自由落下により早く下降させ、所定位置からは減衰力を作用させて速度を制御しつつ下降させることができる。
【００１９】
又、この発明によれば、該ダンパを、該下降扉の上昇により縮長し、該下降扉の上昇に対しては抵抗を与えないものとすることで、該下降扉の下降に対しては抵抗を与えつつも、該下降扉の上昇、即ち復帰に対しては抵抗を与えないものとすることができ、前面開口部を閉口させる復帰作業を容易に行うことができる。具体的には、例えば、該ダンパを、そのピストンが、縮側シリンダ室と伸側シリンダ室とを連通させる連通路、例えばオリフィスに加えて、縮側シリンダ室から伸側シリンダ室への流通は許容し、伸側シリンダ室から縮側シリンダ室への流通は阻止する逆止流通路、例えば逆止弁を有する逆止流通路を有するものとし、該下降扉を下降させる際には、オリフィスのみをピストンの移動を許容する流路とし、下降扉を上昇させる際には、オリフィスに加えて逆止弁を有する逆止流通路をもピストンの移動を許容する流路とすることで、ピストンの伸側への移動には抵抗を与えつつも、ピストンの縮側への移動にはほとんど抵抗を与えないものとすることができ、該下降扉の下降に対しては抵抗を与えつつも、該下降扉の上昇、即ち復帰に対してほとんど抵抗を与えないものとすることができる。
【００２０】
又、この発明によれば、該筐体を、該下降扉によって開口される該前面開口部を有し、該筐体に着脱自在に取り付けられる該前面パネルを有するものとし、該ダンパを該前面パネルと該下降扉との間に設けられるものとし、該前面パネルを、該下降扉と、該下降扉によって開口される該前面開口部と、該ダンパとを含み、該筐体に着脱自在に取り付けられる該扉ユニットを構成するものとすることで、該扉ユニットを、該下降扉と、該下降扉によって開口される該前面開口部と、該下降扉の落下速度を制御する機構とを含みつつも、該筐体に対しては一体で着脱自在のものとすることができ、組立作業及びメンテナンス作業が更に容易な消火栓装置を得ることができる。
【発明を実施するための最良の形態】
【００２１】
この発明の実施の形態を図１乃至８に基づき説明する。尚、図１はこの発明の消火栓装置全体の正面図、図２はこの発明の消火栓装置における扉ユニットの背面図、図３は同上の扉ユニットの平面図、図４は同上の扉ユニットの側面図、図５は図３の一部拡大図、図６は、この発明の消火栓装置における下降扉の開閉状態を示す扉ユニットの正面図、図７は、この発明の消火栓装置に用いられれるダンパを示し、その２つの類型を示す断面図、図８は、同上の他の２つの類型を示す断面図、図９は、この発明の消火栓装置における他の類型の開閉状態を示す扉ユニットの正面図である。
【００２２】
図１はこの発明の消火栓装置１の全体を示している。同図に示される様に、消火栓装置１の筐体２内には消火用の各種機器が格納されている。消火栓装置１は、例えばトンネルの監査路等に設置されるものであり、火災発生時には、筐体２内部に内巻き式に収容されている消火用ホース３を引き出して、その消火用ノズル３ａから消火用泡を放出して消火活動を行うことができるものである。
【００２３】
筐体２内には、その中央格納部２ａ内に、消火用ノズル３ａを有する消火用ホース３、消火用ホース３が内巻きに収容されるバケット式のホース収容部４、放出点検口５を有するメンテナンス弁６、圧力調整弁７、消火栓弁８、泡原液タンク９、泡原液導入弁１０、泡原液導入点検口１１ａを有する泡原液導入点検弁１１等が格納されている。
【００２４】
筐体２の前面には、その中央格納部２ａを覆う如く、筐体前面に着脱自在に取り付けられる前面パネルの一例としての前面パネル１３が取り付けられている。
【００２５】
尚、中央格納部２ａの側方には、その一方の側に消火器格納部１４及び火災報知器等の電気機器格納部１５が、他の一方の側に消防隊用給水栓１７の格納部１８が設けられている。
【００２６】
筐体２に着脱自在に取り付けられる前面パネル１３は、下降扉１９が下降することで開口する前面開口部の一例としての前面開口部２０が形成されている。下降扉１９が下降し、前面開口部２０が開口すると、ホース収容部４のホース引出口４ａ、図示しない支持部によって支持されている消火用ノズル３ａ、消火栓弁８が露出する様になっており、即ち、下降扉１９を下降させ、前面開口部２０を開口させると、消火用ノズル３ａを把持して、ホース収容部４のホース引出口４ａから消火用ホース３を引き出し、消火栓弁８を開栓する操作ができる様になっている。
【００２７】
尚、図１の消火栓装置１はこの発明の一例であり、即ち、この発明は、図１の如き消火栓装置に限定されるものではなく、筐体の前面開口部を下降することで開口させる下降扉を備えた消火栓装置であれば適用は可能である。
【００２８】
前面開口部２０が形成された前面パネル１３は、下降扉１９と、下降扉１９の上下動をガイドする機構と、下降扉１９の下降に対して抵抗を与える機構等が取り付けられ、筐体２に着脱自在の扉ユニット２７を構成している。図２乃至図５は扉ユニット２７の詳細を示している。同図に示される様に、下降扉１９の両側縁には、それぞれに上下に２個、即ち計４個のローラユニット２３，２３，２３，２３が設けられており、このローラユニット２３，２３，２３，２３は、前面パネル背面１３の背面に下降扉１９の両側方に位置して設けられた走行ガイド部２１，２１内に収容されている。従って、下降扉１９は、前面パネル１３の背面側において、ローラユニット２３，２３，２３，２３及び走行ガイド部２１，２１によって上下動可能となっている。更に、下降扉１９の背面側には、前面パネル１３と下降扉１９との間に２本のダンパ２５，２５が設けられており、このダンパ２５，２５は、ピストンロッド２５ｃ，２５ｃが、下降扉１９の下降に連れて伸側に移動し、下降扉１９の上昇に連れて縮側に移動する如く、シリンダ２５ａ，２５ａの其端側取付部２５ｇ，２５ｇが前面パネル１３の背面に取り付けられ、ピストンロッド２５ｃ，２５ｃの延出端側取付部２５ｈ，２５ｈが下降扉１９の背面下側に取り付けられている。従って、ダンパ２５，２５は、下降扉１９の下降によりピストンロッド２５ｃ，２５ｃが伸長し、下降扉１９の上昇によりピストンロッド２５ｃ，２５ｃが縮長する様になっている。尚、２４は下降扉１９が下降した際に戸袋を形成する下降扉収容部であり、２６は下降扉１９の閉止状態を保持と解除のためのラッチ機構であり、２８は前面パネル１３の背面に設けられた下降扉１９のストッパである。又、３０は前面パネル１３の背面の四隅に設けられた固定部材であり、この固定部材３０は、中央格納部２ａの図示しない被固定部材に着脱自在に固定される。
【００２９】
ローラユニット２３は、直交する２つの水平軸回りのローラ２３ａ，２３ｂを有しており、下降扉１９の幅方向に沿う水平軸回りに回転するローラ２３ａが、前面パネル１３の背面とそれと対向する走行ガイド部２１における背板部２１ａ内面との間を走行し、ローラ２３ａよりも小径に形成され、下降扉１９の厚み方向に沿う水平軸回りに回転するローラ２３ｂが、下降扉１９の側縁とそれと対向する走行ガイド部２１における側板部２１ｂとの間を走行する様になっている。これにより、下降扉１９を、その前後左右への移動を規制しつつ、上下に移動させることができる様になっており、例えば、消火栓装置１の設置状態において前後左右方向に若干の傾きがあったとしても、下降扉１９をスムーズに上下に移動させることができる。尚、走行ガイド部２１は、その全長に亘って、下降扉収容部２４と一体的に形成される走行ガイドカバー部２４ａ，２４ａによって覆われており、又、この走行ガイドカバー部２４ａ，２４ａの背板部は、走行ガイド部２１，２１における背板部２１ａ，２１ａも兼ねるものである。
【００３０】
図６は下降扉１９の開閉状態を示す扉ユニット２７の正面図であり、図６（ａ）が下降扉１９の全閉状態を示し、図６（ｂ）が下降扉１９の全開状態を示している。図６（ａ）に示す様に、全閉状態の下降扉１９は、前面開口部２０を閉鎖する如く上方に位置し、ラッチ機構２６によってその状態が保持されており、このときダンパ２５，２５はそのピストンロッド２５ｃ，２５ｃが最縮長位置に位置している。ラッチ機構２６のハンドル２６ａを操作し、下降扉１９の閉止状態を解除すると、下降扉１９はその自重により落下し、その下降により前面開口部２０を開口させる。そして、図６（ｂ）に示す様に、全開状態の下降扉１９は、前面開口部２０を開口させる如く下方に位置し、ストッパ２８，２８によって停止されており、このときダンパ２５，２５はそのピストンロッド２５ｃ最伸長位置に位置している。
【００３１】
ダンパ２５，２５は、そのピストンロッド２５ｂ，２５ｂが伸長する際、その伸側への移動に対して抵抗が与えられる様に構成されており、従って、下降扉１９が下降する際には、その下降に対してダンパ２５，２５が抵抗を与える様になっており、これにより、下降扉１９の下降速度を制御することができる様になっている。
【００３２】
図７及び図８は、この発明の消火栓措置に用いられるダンパの４つの類型を示している。尚、４つの類型は、シリンダ２５ａと、シリンダ２５ａ内部を縮側シリンダ室２５ｄと伸側シリンダ室２５ｅに区画するピストン２５ｂと、ピストン２５ｂに接続され、シリンダ２５ａから外部に延出されたピストンロッド２５ｃと、ピストン２５ｂに形成され、縮側シリンダ室２５ｄと伸側シリンダ室２５ｅとを連通させる連通路の一例としてのオリフィス２５ｆと、シリンダ其端側取付部２５ｇと、ピストンロッド延出端側取付部２５ｈとを有する点においては共通している。
【００３３】
図７（ａ）のダンパ２５−１は、シリンダ２５ａ内がオイル２５ｋにより満たされている類型を示している。この類型のダンパ２５−１においては、オリフィス２５ｆを流動するオイル２５ｋによる流動抵抗がピストン２５ｂにその伸側及び縮側への移動の全ストロークに亘って与えられることとなる。従って、この類型のダンパ２５−１を消火栓措置１に用いた場合、ダンパ２５−１は、下降扉１９の下降及び上昇に対してその全ストロークに亘って抵抗を与えることとなり、即ち、下降扉１９の下降の初期からその下降に対して抵抗を与えるものである。尚、ダンパ２５−１は、下降扉１９の上昇に対しては抵抗を与えるものである。
【００３４】
図７（ｂ）のダンパ２５−２は、シリンダ２５ａ内がオイル２５ｋとガス（単に空気、或いは窒素等でもよい）２５ｍとにより満たされている類型を示している。この類型のダンパ２５−２においては、シリンダ２５ｂ内にオイル２５ｋの層とガス２５ｍの層とが形成されることとなり、ピストン２５ｂへの流動抵抗は、ガス２５ｍの層を通るときには発生はせず、オイル２５ｋの層をピストン２５ｂが通るときのみに発生することとなり、又、境界２５ｍｋを境にして、上方にガス２５ｍの層が形成され、下方にオイル２５ｋの層が形成されることとなるので、ピストン２５ｂが最縮長位置から伸側に移動するときは、流動抵抗のないガス２５ｍの層を通ってからオイル２５ｋによる流動抵抗のあるオイル２５ｋの層を通ることとなる。従って、この類型のダンパ２５−２を消火栓装置１に用いた場合、ダンパ２５−２は、下降扉１９の下降の初期から抵抗は与えずに、即ち先ずは下降扉１９をほぼ自由落下させて早く下降させ、次いでピストン２５ｂがオイル２５ｋの層に至ってから、下降扉１９の下降に対して抵抗を与えることとなる。このダンパ２５−２において、下降扉１９の下降に対して抵抗を与えるタイミングは、境界２５ｍｋの位置を変えることにより、即ちオイル２５ｋの量を加減することにより所望のものとすることができ、即ち、このダンパ２５−２によれば、下降扉１９が所定の位置まで下降してから抵抗を与えるものとすることができる。尚、ダンパ２５−２も、下降扉１９の上昇に対しては抵抗を与えるものである。
【００３５】
図８（ａ）のダンパ２５−３は、ダンパ２５−１と同様にシリンダ２５ａ内がオイル２５ｋにより満たされているものであるが、更に、ピストン２５ｂに、縮側シリンダ室２５ｄから伸側シリンダ室２５ｅへの流通は許容し、伸側シリンダ室ｅから縮側シリンダ室ｄへの流通は阻止する逆止流通路の一例としての逆止弁２５ｎを有する逆止流通路２５ｐを有している類型を示している。この類型のダンパ２５−３は、ピストン２５ｂが伸側に移動する際には、逆止弁２５ｎが閉鎖状態にあり、縮側シリンダ室２５ｄと伸側シリンダ室２５ｅとを連通させる流動通路はオリフィス２５ｆのみであるので、ダンパ２５−１と同様の作用を呈するが、ピストン２５ｂが縮側に移動する際には、逆止弁２５ｎが開放状態にあり、オリフィス２５ｆに加えて逆止流通路２５ｐも縮側シリンダ室２５ｄと伸側シリンダ室２５ｅとを連通させる流動通路となるので、オイル２５ｋはオリフィス２５ｆに加えて逆止流通路２５ｐを通って、縮側シリンダ室２５ｄから伸側シリンダ室２５ｅに流動することとなり、逆止流通路２５ｐをピストン２５ｂの移動に対して流動抵抗を与えない程度の大きさのものとすることで、ピストン２５ｂの縮側への移動に対して抵抗を与えないものとすることができる。従って、この類型のダンパ２５−３を消火栓装置１に用いた場合は、下降扉１９の下降に対してはダンパ２５−１と同様にその下降の初期から抵抗を与えるものとしつつ、下降扉１９の上昇に対しては抵抗を与えないものとすることができる。
【００３６】
図８（ｂ）のダンパ２５−４は、ダンパ２５−２と同様にシリンダ２５ａ内がオイル２５ｋとガス２５ｍとにより満たされており、且つダンパ２５−３と同様にピストン２５ｂが逆止弁２５ｎを有する逆止流通路２５ｐを有している類型を示している。従って、この類型のダンパ２５−４を消火栓装置１に用いた場合は、下降扉１９の下降に対してはダンパ２５−２と同様に下降扉１９が所定の位置まで下降してから抵抗を与えるものとしつつ、下降扉１９の上昇に対しては抵抗を与えないものとすることができる。
【００３７】
図９は、ダンパ２５，２５を下降扉１９が所定の位置まで下降してから抵抗を与えるものとした場合の、即ちダンパ２５として前記ダンパ２５−２又は２５−４を用いた場合の、下降扉１９の開閉状態を示す扉ユニット２７の正面図であり、図９（ａ）が下降扉１９の全閉状態を示し、図９（ｂ）が下降扉１９が所定位置まで下降し、ダンパ２５，２５が下降扉１９の下降に対し抵抗を与え始める状態を示している。下降扉１９が図９（ａ）の位置から図９（ｂ）の位置まで下降する間、即ち区間Ａを下降する間、下降扉１９は、ダンパ２５，２５による抵抗を受けないので、ほぼ自由落下の状態で下降することとなる。下降扉１９が図９（ｂ）の位置まで下降し、更に下降する間、即ち区間Ｂを下降する間、下降扉１９は、ダンパ２５，２５による抵抗を受けることとなるので、その下降速度が制御されて下降することとなる。従って、ダンパ２５，２５を下降扉１９が所定位置まで下降してから抵抗を与えるものとすることで、下降扉１９を先ずはほぼ自由落下の状態でいち早く下降させて、その後下降速度を制御しつつ下降を停止させることができ、下降扉１９の開扉操作において、下降扉１９を速やかに下降させつつも、緩やかに下降扉１９の下降を停止させることができる。
【００３８】
尚、図９に示す如くダンパ２５，２５を下降扉１９が所定の位置まで下降してから抵抗を与えるものとする場合に、ダンパ２５としてダンパ２５−１又は２５−３の如きダンパを用いることも可能である。即ち、図示は省略するが、ピストンロッド延出端側取付部２５ｈを下降扉１９にピストンロッド２５ｃの伸縮方向に沿って一定範囲で摺動自在に取り付け、下降扉１９が閉止状態にあるときは、ピストンロッド延出端側取付部２５ｈを前記摺動の範囲の下端に位置させ、下降扉１９を閉止状態から下降させて開口状態にするときに、先ずは、下降扉１９の下降とともに、ピストンロッド延出端側取付部２５ｈを前記摺動の範囲の下端から上端に移動させ、この摺動の間は、ピストンロッド２５ｃを延出させずに、即ち下降扉１９の下降に対してはダンパ２５による減衰力は作用させずに、下降扉１９を下降させ、ピストンロッド延出端側取付部２５ｈが前記摺動範囲の上端に至ってから、下降扉１９の下降とともに、ピストンロッド２５ｃを延出させて、下降扉１９の下降に対してダンパ２５による減衰力を作用させる様にすることも可能である。この場合に、下降扉１９の下降に対して抵抗を与えるタイミングは、前記摺動の範囲の上端の位置を上下に変えることにより所望のものとすることができる。
【図面の簡単な説明】
【００３９】
【図１】この発明の消火栓装置全体の正面図である。
【図２】この発明の消火栓装置における扉ユニットの背面図である。
【図３】同上の扉ユニットの平面図である。
【図４】同上の扉ユニットの側面図である。
【図５】図３の一部拡大図である。
【図６】この発明の消火栓装置における下降扉の開閉の状態を示す扉ユニットの正面図である。
【図７】この発明の消火栓装置に用いられれるダンパを示し、その２つの類型を示す断面図である。
【図８】同上を示し、他の２つの類型を示す断面図である。
【図９】この発明の消火栓装置における他の類型の開閉状態を示す扉ユニットの正面図である。
【符号の説明】
【００４０】
１      消火栓装置
２      筐体
２ａ    中央格納部
３      消火用ホース
３ａ    消火用ノズル
４      ホース収容部
４ａ    ホース引出口
５      放出点検口
６      メンテナンス弁
７      圧力調整弁
８      消火栓弁
９      泡原液タンク
１０    泡原液導入弁
１１    泡原液導入点検弁
１１ａ  泡原液導入点検口
１３    前面パネル
１４    消火器格納部
１５    電気機器格納部
１７    消防隊用給水栓
１８    消防隊給水栓格納部
１９    下降扉
２０    前面開口部
２１    走行ガイド部
２１ａ  背板部
２１ｂ  側板部
２３    ローラユニット
２３ａ  ローラ
２３ｂ  ローラ
２４    下降扉収容部
２４ａ  走行ガイドカバー部
２５    ダンパ
２５ａ  シリンダ
２５ｂ  ピストン
２５ｃ  ピストンロッド
２５ｄ  縮側シリンダ室
２５ｅ  伸側シリンダ室
２５ｆ  オリフィス
２５ｇ  シリンダ其端側取付部
２５ｈ  ピストンロッド延出端側取付部
２５ｋ  オイル
２５ｍ  ガス
２５ｎ  逆止弁
２５ｐ  逆止流通路
【図１】
2006181057.tif 000003
【図２】
2006181057.tif 000004
【図３】
2006181057.tif 000005
【図４】
2006181057.tif 000006
【図５】
2006181057.tif 000007
【図６】
2006181057.tif 000008
【図７】
2006181057.tif 000009
【図８】
2006181057.tif 000010
【図９】
2006181057.tif 000011